(57)【要約】【課題】使用者が安眠することを可能にした枕置き具を提供する。【解決手段】枕置き具１は、就寝時などに、使用者ＭＡＮが使用する枕ＰＩＬを置いて、枕ＰＩＬの高さを自由に調整するものである。具体的に、枕置き具１は、基材１１、及び当該基材１１の両脇に立設されている一対の支持材１２を有している台座１０と、一対の支持材１２の間に架け渡されており、枕ＰＩＬが載置されるブリッジベルト２０と、このブリッジベルト２０における一対の支持材１２の間に架け渡されている部分の長さを調整するロック棒３０と、を備えている。【選択図】図８
2018139730.tif 000002
【特許請求の範囲】
【請求項１】
基材、及び該基材の両脇に立設されている一対の支持材を有している台座と、
前記一対の支持材の間に架け渡されており、枕が載置される帯材と、
前記帯材における前記一対の支持材の間に架け渡されている部分の長さを調整する調整材と、を備えていることを特徴とする
枕置き具。
【請求項２】
前記台座は、前記一対の支持材の各々に、前記帯材の端部が挿通されている挿通孔部を有し、
前記帯材は、該帯材の長手方向の端部における長手方向に並んだ複数の箇所に、該帯材の幅方向に延びている貫通孔部を有し、
前記調整材は、任意の前記貫通孔部に差し込まれており、前記支持材における前記挿通孔部の外側に引っ掛かっていることを特徴とする
請求項１に記載の枕置き具。
【請求項３】
前記帯材は、該帯材の両面に対をなすように前記貫通孔部を有し、
前記調整材は、Ｕ字型のロック棒であり、対の前記貫通孔部の各々に差し込まれて前記帯材を挟み込んでいることを特徴とする
請求項２に記載の枕置き具。
【発明の詳細な説明】
【技術分野】
【０００１】
本発明は、就寝時などに枕を置いておくための枕置き具に関する。
【背景技術】
【０００２】
特許文献１には、ラチェット機構を備えた枕が開示されている。この枕は、ラチェット機構により枕本体部材が水平面に対して傾斜しつつ上昇する機能を備えている。これにより、当該枕は、使用者の好みに合わせて枕の高さを調整することができる。
【先行技術文献】
【特許文献】
【０００３】
【特許文献１】特開２０１６−１４０７３８号公報
【発明の概要】
【発明が解決しようとする課題】
【０００４】
しかしながら、上記構成の枕は、使用者が愛用する枕とはそもそも別物であり、使用者の好みに合わせて枕の高さを調整することができるからといって、使用者が安眠することができるものではない。
【０００５】
本発明は、上記課題を鑑みてなされたものであり、使用者が安眠することを可能にした枕置き具を提供することを目的とする。
【課題を解決するための手段】
【０００６】
（１）本発明は、基材、及び該基材の両脇に立設されている一対の支持材を有している台座と、前記一対の支持材の間に架け渡されており、枕が載置される帯材と、前記帯材における前記一対の支持材の間に架け渡されている部分の長さを調整する調整材と、を備えていることを特徴とする枕置き具である。
【０００７】
本発明によれば、使用者が愛用する枕など、既存の枕を帯材に載せて枕の高さを調整することができる。具体的に、帯材の張り具合を変更することで、すなわち帯材の架け渡す部分の長さを変更することで、枕の高さを調整することができる。
【０００８】
枕を支える帯材は、余裕をもって大人用の枕を支えることができる。帯材が布製の場合には、枕がずれることはなく枕をしっかりと支えることができる。また、帯材が布製の場合には、いつでも洗濯ができ清潔に使うことができる。
【０００９】
ところで、頭寒足熱は健康によいと言われているが、本発明の枕置き具によれば、枕の高さを高くして頭寒足熱の状態を簡単に作り出すことができる。
【００１０】
（２）本発明はまた、前記台座は、前記一対の支持材の各々に、前記帯材の端部が挿通されている挿通孔部を有し、前記帯材は、該帯材の長手方向の端部における長手方向に並んだ複数の箇所に、該帯材の幅方向に延びている貫通孔部を有し、前記調整材は、任意の前記貫通孔部に差し込まれており、前記支持材における前記挿通孔部の外側に引っ掛かっていることを特徴とする上記（１）に記載の枕置き具である。
【００１１】
上記発明によれば、組立てが簡単であり、左右の両側にある挿通孔部に帯材を通してから、帯材に載っている枕の高さを決めることができる。帯材に載っている枕の高さの調整は、帯材の端部にある貫通孔部に、調整材を差し込むことで行われる。貫通孔部が複数の箇所にあるので、帯材に載っている枕の高さは幾通りにも変えることができる。
【００１２】
帯材が布製の場合には、使用者自身で縫って修理をすることができ、また、貫通孔部の間隔を狭くすることで、帯材に載っている枕の高さ調整を細かくすることができる。
【００１３】
（３）本発明はまた、前記帯材は、該帯材の両面に対をなすように前記貫通孔部を有し、前記調整材は、Ｕ字型のロック棒であり、対の前記貫通孔部の各々に差し込まれて前記帯材を挟み込んでいることを特徴とする上記（２）に記載の枕置き具である。
【００１４】
上記発明によれば、帯材に載っている枕の調整は、帯材の端部で且つ帯材の両面にある対の貫通孔部に、Ｕ字型のロック棒を差し込んで帯材を挟み込むことで行われる。貫通孔部が帯材の両面に対をなすように複数の箇所にあるので、帯材に載っている枕の高さは幾通りにも変えることができる。
【００１５】
なお、使用者の生命及び財産を守るため、枕置き具は、電気製品（例えば、電気毛布やホットカーペット）の上で使用することは好まれない。枕置き具の重みで電気毛布などが圧迫されることで当該電気毛布などが不良となり、危ないからである。このため、枕置き具の使用には注意を払う必要がある。
【発明の効果】
【００１６】
本発明の枕置き具は、使用者が安眠することを可能にする。
【図面の簡単な説明】
【００１７】
【図１】本発明の一実施形態に係る枕置き具の正面図である。
【図２】図１に示す枕置き具が備えているブリッジ台の正面図である。
【図３】図２に示すブリッジ台の平面図である。
【図４】図２に示すブリッジ台の側面図である。
【図５】図１に示す枕置き具が備えているブリッジベルトの正面図である。
【図６】図５に示すブリッジベルトの平面図である。
【図７】図１に示す枕置き具が備えているロック棒の正面図である。
【図８】図１に示す枕置き具の使用状態図である。
【発明を実施するための形態】
【００１８】
以下、図面を参照して、本発明の一実施形態に係る枕置き具１について詳細に説明する。
【００１９】
まず、図１〜図８を用いて、枕置き具１について説明する。図１は、枕置き具１の正面図である。図２は、ブリッジ台１０の正面図である。図３は、ブリッジ台１０の平面図である。図４は、ブリッジ台１０の側面図である。図５は、ブリッジベルト２０の正面図である。図６は、ブリッジベルト２０の平面図である。図７は、ロック棒３０の正面図である。図８は、枕置き具１の使用状態図である。なお、各図において、一部の構成を適宜省略して、図面を簡略化する。
【００２０】
図１に示す枕置き具１は、就寝時などに、使用者ＭＡＮが使用する枕ＰＩＬを置いて、枕ＰＩＬの高さを自由に調整するものである。具体的に、枕置き具１は、台座であるブリッジ台１０と、帯材であるブリッジベルト２０と、調整材である一対のロック棒３０と、を備えている。
【００２１】
図１〜図４及び図８に示すブリッジ台１０は、基材１１と、一対の支持材１２と、を有している。
【００２２】
基材１１は、例えばプラスチック製で、例えば平面視で縦４６０ｍｍ×横７５０ｍｍの外寸の平板形状を有し、布団（図示省略）の上に載置される。
【００２３】
一対の支持材１２は、基材１１と一体に構成されており、例えば縦４６０ｍｍ×横５０ｍｍ×高さ８０ｍｍの外寸で互いに６５０ｍｍの間隔を空けて、基材１１の両脇に立設されている。これら一対の支持材１２は、それぞれ、左右に貫通する挿通孔部１３を有している。
【００２４】
各挿通孔部１３は、例えば幅４３０ｍｍの内寸を有している。これらの各挿通孔部１３には、ブリッジベルト２０の端部が挿通されている。
【００２５】
図１、図５、図６及び図８に示すブリッジベルト２０は、一対の支持材１２の間に架け渡されており、枕ＰＩＬが載置される。具体的に、ブリッジベルト２０は、帯本体２１と、二対のヒダ布２２と、を有している。
【００２６】
帯本体２１は、枕ＰＩＬを受けるために、例えばテントに使う丈夫な厚手の布で構成され、例えば長さ１３００ｍｍ×幅４００ｍｍの外寸を有している。
【００２７】
二対のヒダ布２２は、帯本体２１の長手方向における両端部の表裏両面に縫い付けられていることで、帯本体２１の表裏両面に対をなすように、帯本体２１の長手方向に並んだ複数の箇所に、帯本体３２の幅方向に延びている貫通孔部２３を形成している。
【００２８】
このように、ブリッジベルト２０は、帯本体２１に二対のヒダ布２２が縫い付けられていることで、長手方向の端部における長手方向に並んだ複数の箇所に、表裏両面に対をなすように、幅方向に延びている貫通孔部２３を有している。
【００２９】
ブリッジベルト２０の表裏両面で対をなす任意の貫通孔部２３には、Ｕ字型のロック棒３０が差し込まれている。
【００３０】
図１、図７及び図８に示すロック棒３０は、例えばステンレスなどの金属でＵ字型に構成され、ブリッジベルト２０の幅よりも長く且つ挿通孔部１３の幅よりも長い長さ、例えば４５０ｍｍの長さを有している。このロック棒３０は、ブリッジベルト２０における一対の支持材１２の間に架け渡されている部分の長さを調整する調整材として機能する。このようなロック棒３０は、ブリッジベルト２０の表裏両面で対をなす任意の貫通孔部２３に差し込まれてブリッジベルト２０を挟み込んでいることで、支持材１２における挿通孔部２３の外側に引っ掛かっている。
【００３１】
以上説明したように、このような枕置き具１によれば、使用者ＭＡＮが愛用する枕ＰＩＬなど、既存の枕ＰＩＬをブリッジベルト２０に載せて枕ＰＩＬの高さを調整することができる。具体的に、ブリッジベルト２０の張り具合を変更することで、すなわちブリッジベルト２０の架け渡す部分の長さを変更することで、枕ＰＩＬの高さを調整することができる。
【００３２】
枕ＰＩＬを支えるブリッジベルト２０は、余裕をもって大人用の枕ＰＩＬを支えることができる。ブリッジベルト２０が布製の場合には、枕ＰＩＬがすれることはなく枕ＰＩＬをしっかりと支えることができる。また、ブリッジベルト２０が布製の場合には、いつでも選択ができ清潔に使うことができる。
【００３３】
ところで、頭寒足熱は健康によいと言われているが、枕置き具１によれば、枕ＰＩＬの高さを高くして頭寒足熱の状態を簡単に作り出すことができる。
【００３４】
また、枕置き具１は、組立てが簡単であり、左右の両側にある挿通孔部１３にブリッジベルト２０を通してから、ブリッジベルト２０に乗っている枕ＰＩＬの高さを決めることができる。ブリッジベルト２０に乗っている枕ＰＩＬの高さの調整は、ブリッジベルト２０の端部で且つブリッジベルト２０の両面にある対の貫通孔部２３に、Ｕ字型のロック棒３０を差し込んでブリッジベルト２０を挟み込むことで行われる。貫通孔部２３がブリッジベルト２０の両面に対をなすように複数の箇所にあるので、ブリッジベルト２０に載っている枕ＰＩＬの高さは幾通りにも変えることができる。
【００３５】
なお、使用者ＭＡＮの生命及び財産を守るため、枕置き具１は、電気製品（例えば、電気毛布やホットカーペット）の上で使用することは好まれない。枕置き具１の重みで電気毛布などが圧迫されることで当該電気毛布などが不良となり、危ないからである。このため、枕置き具１の使用には注意を払う必要がある。
【００３６】
このように、枕置き具１は、使用者ＭＡＮが安眠することを可能にする。
【００３７】
なお、本発明は、上記実施形態に限定されるものではなく、その趣旨及び技術思想を逸脱しない範囲で種々の変更が可能である。すなわち、各構成の位置、大きさ、長さ、形状、材質などは適宜変更できる。
【符号の説明】
【００３８】
１  枕置き具
１０  ブリッジ台（台座）
１１  基材
１２  支持材
１３  挿通孔部
２０  ブリッジベルト（帯材）
２１  帯本体
２２  ヒダ布
２３  貫通孔部
３０  ロック棒（調整材）
ＭＡＮ  使用者
ＰＩＬ  枕
【図１】
2018139730.tif 000003
【図２】
2018139730.tif 000004
【図３】
2018139730.tif 000005
【図４】
2018139730.tif 000006
【図５】
2018139730.tif 000007
【図６】
2018139730.tif 000008
【図７】
2018139730.tif 000009
【図８】
2018139730.tif 000010
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
基材、及び該基材の両脇に立設されている一対の支持材を有している台座と、
前記一対の支持材の間に架け渡されており、枕が載置される帯材と、
前記帯材における前記一対の支持材の間に架け渡されている部分の長さを調整する調整材と、を備え、
前記台座は、前記一対の支持材の各々に、前記帯材の端部が挿通されている挿通孔部を有し、
前記帯材は、該帯材の長手方向の端部における長手方向に並んだ複数の箇所に、該帯材の幅方向に延びている貫通孔部を有し、
前記調整材は、任意の前記貫通孔部に差し込まれており、前記支持材における前記挿通孔部の外側に引っ掛かっていることを特徴とする
枕置き具。
【請求項２】
前記帯材は、該帯材の両面に対をなすように前記貫通孔部を有し、
前記調整材は、Ｕ字型のロック棒であり、対の前記貫通孔部の各々に差し込まれて前記帯材を挟み込んでいることを特徴とする
請求項１に記載の枕置き具。
【手続補正２】
【補正対象書類名】明細書
【補正対象項目名】０００６
【補正方法】変更
【補正の内容】
【０００６】
（１）本発明は、基材、及び該基材の両脇に立設されている一対の支持材を有している台座と、前記一対の支持材の間に架け渡されており、枕が載置される帯材と、前記帯材における前記一対の支持材の間に架け渡されている部分の長さを調整する調整材と、を備え、前記台座は、前記一対の支持材の各々に、前記帯材の端部が挿通されている挿通孔部を有し、前記帯材は、該帯材の長手方向の端部における長手方向に並んだ複数の箇所に、該帯材の幅方向に延びている貫通孔部を有し、前記調整材は、任意の前記貫通孔部に差し込まれており、前記支持材における前記挿通孔部の外側に引っ掛かっていることを特徴とする枕置き具である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、組立てが簡単であり、左右の両側にある挿通孔部に帯材を通してから、帯材に載っている枕の高さを決めることができる。帯材に載っている枕の高さの調整は、帯材の端部にある貫通孔部に、調整材を差し込むことで行われる。貫通孔部が複数の箇所にあるので、帯材に載っている枕の高さは幾通りにも変えることができる。
【手続補正５】
【補正対象書類名】明細書
【補正対象項目名】００１３
【補正方法】変更
【補正の内容】
【００１３】
（２）本発明はまた、前記帯材は、該帯材の両面に対をなすように前記貫通孔部を有し、前記調整材は、Ｕ字型のロック棒であり、対の前記貫通孔部の各々に差し込まれて前記帯材を挟み込んでいることを特徴とする上記（１）に記載の枕置き具である。
【手続補正６】
【補正対象書類名】明細書
【補正対象項目名】００１４
【補正方法】変更
【補正の内容】
【００１４】
また、帯材に載っている枕の調整は、帯材の端部で且つ帯材の両面にある対の貫通孔部に、Ｕ字型のロック棒を差し込んで帯材を挟み込むことで行われる。貫通孔部が帯材の両面に対をなすように複数の箇所にあるので、帯材に載っている枕の高さは幾通りにも変えることができる。